(57)【要約】【課題】  放送番組の繰り返し録画予約を容易に設定でき、繰り返し放送番組の放送が終了した後に録画予約を解除すると共に、記録領域を開放する録画再生装置を実現する。【解決手段】  録画予約を行った最初の番組名が録画予約を行った以降の現在のＥＰＧに掲載されているかどうかを判別手段２２２により判別し、最初の番組名が現在のＥＰＧに掲載されていると判別された場合には、最初の番組名を番組名認識処理手段２２１により認識し、最初の番組名と同じ番組の録画予約を行って記録媒体１３に記録し、最初の番組名が現在のＥＰＧに定期的に掲載されていていないと判断処理手段２２２により判別された場合には、最初の番組名と同じ番組の録画予約を行わない自動録画予約手段２２３と、最初の番組名と同じ番組の録画予約予定領域を記録媒体１３から削除する録画予約解除手段２２３とを有して構成した。【選択図】      図１
2006180057.tif 000002
【特許請求の範囲】
【請求項１】
放送されている番組と共にＥＰＧを受信し、前記ＥＰＧに基づいて、放送される番組の録画予約を行って記録媒体に記録した後、前記記録媒体に記録された前記番組を再生して表示部に表示させる番組録画再生装置において、
前記録画予約を行った最初の番組名が前記録画予約を行った以降の現在の前記ＥＰＧに掲載されているかどうかを判別する判別手段と、
前記判別手段により前記最初の番組名が前記現在の前記ＥＰＧに掲載されていると判別された場合には、前記最初の番組名を認識し、前記ＥＰＧに基づいた前記最初の番組名と同じ番組の録画予約を行って前記記録媒体に記録し、前記判別手段により前記最初の番組名が前記現在のＥＰＧに定期的に掲載されていていないと判別された場合には、前記最初の番組名と同じ番組の録画予約を行わない自動録画予約手段と、
前記自動録画予約手段により前記最初の番組名と同じ番組の録画予約を行わない場合に、前記最初の番組名と同じ番組の録画予約予定領域を前記記録媒体から削除する録画予約解除手段と、
を有することを特徴とする番組録画再生装置。
【請求項２】
放送されている番組と共にＥＰＧを受信し、前記ＥＰＧに基づいて、放送される番組の録画予約を行って記録媒体に記録した後、前記記録媒体に記録された前記番組を再生して表示部に表示させる番組録画再生方法において、
前記録画予約を行った最初の番組名が前記録画予約を行った以降の現在の前記ＥＰＧに掲載されているかどうかを判別し、
前記最初の番組名が前記現在の前記ＥＰＧに掲載されていると判別された場合には、前記最初の番組名を認識し、前記ＥＰＧに基づいた前記最初の番組名と同じ番組の録画予約を行って前記記録媒体に記録し、
前記最初の番組名が前記現在のＥＰＧに定期的に掲載されていていないと判別された場合には、前記最初の番組名と同じ番組の録画予約を行わないようにし、
前記最初の番組名と同じ番組の録画予約を行わない場合に、前記最初の番組名と同じ番組の録画予約予定領域を前記記録媒体から削除することを特徴とする番組録画再生方法。
【発明の詳細な説明】
【技術分野】
【０００１】
本発明は、複数の番組を１回のみまたは繰返し予約して録画する録画装置において、記録媒体の利用行為率を高めた録画を行う番組録画再生装置及び番組録画再生方法に関する。
【背景技術】
【０００２】
最近になり、ハードディスクレコーダなどでは、番組を毎週繰り返して録画予約し、使用者の都合の良い時間に視聴するなど、いわゆる番組のタイムシフトマシンとして利用されている。特に、高密度化された記録媒体に記録する記録機は、媒体を交換することなく多数の番組を記録できるなど、タイムシフトマシンとして及び映像ライブラリー記録装置として利用されている。
【０００３】
特許文献１には、連続性のある放送番組の録画予約及び視聴予約を容易な操作で実行でき、放送を見逃すことなく予約設定可能とする番組予約を、映像データと音声データとを含む番組データが受信手段により受信される複数の番組中より番組を選択する選択手段と、選択手段により選択された番組に対して所定の動作を行うように予約設定を行う予約設定手段と、選択された番組の次回以降の放送に関する情報を検出する検出手段と、検出手段により検出された番組の次回以降の放送に関する情報に基づいて予約設定手段を制御する制御手段とを備えて構成される番組予約装置が開示されている。即ち、その番組予約装置は、番組終了時点で受信されるエンドフラグが示す数に応じ、０の場合は今回で終了する番組、１の場合は翌日に続く番組、２の場合は来週月曜に続く番組、３の場合は来週に続く番組とされて放送されることを示す情報が用いられ、次回以降の番組予約を自動的に更新するようにしている。
【特許文献１】特開２００２−２１８３３３号公報
【発明の開示】
【発明が解決しようとする課題】
【０００４】
しかしながら、特許文献１に開示されている番組終了時点で放送が期待されるエンドフラグ情報は実際には放送されてなく、受信される信号の情報を用いて連続性のある放送番組を自動的に予約設定させることは出来ない。連続性のある放送番組を継続して予約設定するためには、使用者により毎日録画するか、月曜〜金曜に録画するか、又は毎週同一の曜日に録画するかなどを設定しなければならない。設定された情報は一連の放送番組が終了した場合には使用者により予約解除がなされない限り定期的に録画されてしまうなど記録媒体の利用効率が悪化する。
【０００５】
そこで、本発明は、上記のような問題点を解消するためになされたもので、連続的に放送される番組の録画予約設定を容易に行えると共に、予約設定された番組の一連の放送が終了した後に設定された録画予約を解除すると共に、一連の番組のために確保されている媒体の記録領域を開放する番組録画再生装置及び番組録画再生方法を提供することを目的とする。
【課題を解決するための手段】
【０００６】
本願発明における第１の発明は、放送されている番組と共にＥＰＧを受信し、前記ＥＰＧに基づいて、放送される番組の録画予約を行って記録媒体に記録した後、前記記録媒体に記録された前記番組を再生して表示部に表示させる番組録画再生装置において、前記録画予約を行った最初の番組名が前記録画予約を行った以降の現在の前記ＥＰＧに掲載されているかどうかを判別する判別手段と、前記判別手段により前記最初の番組名が前記現在の前記ＥＰＧに掲載されていると判別された場合には、前記最初の番組名を認識し、前記ＥＰＧに基づいた前記最初の番組名と同じ番組の録画予約を行って前記記録媒体に記録し、前記判別手段により前記最初の番組名が前記現在のＥＰＧに定期的に掲載されていていないと判別された場合には、前記最初の番組名と同じ番組の録画予約を行わない自動録画予約手段と、前記自動録画予約手段により前記最初の番組名と同じ番組の録画予約を行わない場合に、前記最初の番組名と同じ番組の録画予約予定領域を前記記録媒体から削除する録画予約解除手段と、を有することを特徴とする番組録画再生装置を提供する。
第２の発明は、放送されている番組と共にＥＰＧを受信し、前記ＥＰＧに基づいて、放送される番組の録画予約を行って記録媒体に記録した後、前記記録媒体に記録された前記番組を再生して表示部に表示させる番組録画再生方法において、前記録画予約を行った最初の番組名が前記録画予約を行った以降の現在の前記ＥＰＧに掲載されているかどうかを判別し、前記最初の番組名が前記現在の前記ＥＰＧに掲載されていると判別された場合には、前記最初の番組名を認識し、前記ＥＰＧに基づいた前記最初の番組名と同じ番組の録画予約を行って前記記録媒体に記録し、前記最初の番組名が前記現在のＥＰＧに定期的に掲載されていていないと判別された場合には、前記最初の番組名と同じ番組の録画予約を行わないようにし、前記最初の番組名と同じ番組の録画予約を行わない場合に、前記最初の番組名と同じ番組の録画予約予定領域を前記記録媒体から削除することを特徴とする番組録画再生方法を提供する。
【発明の効果】
【０００７】
本発明によれば、録画予約を行った最初の番組名が前記録画予約を行った以降の現在の前記ＥＰＧに掲載されているかどうかを判別する判別手段と、前記判別手段により前記最初の番組名が前記現在の前記ＥＰＧに掲載されていると判別された場合には、前記最初の番組名を認識し、前記ＥＰＧに基づいた前記最初の番組名と同じ番組の録画予約を行って記録媒体に記録し、前記判別手段により前記最初の番組名が前記現在のＥＰＧに定期的に掲載されていていないと判別された場合には、前記最初の番組名と同じ番組の録画予約を行わない自動録画予約手段と、前記自動録画予約手段により前記最初の番組名と同じ番組の録画予約を行わない場合に、前記最初の番組名と同じ番組の録画予約予定領域を前記記録媒体から削除する録画予約解除手段とを有する格別な構成があるので、連続的に放送される番組の録画予約設定を容易に行えると共に、予約設定された番組の一連の放送が終了した後に設定された録画予約を解除すると共に、一連の番組のために確保されている媒体の記録領域を開放する番組録画再生装置及び番組録画再生方法を実現できる。
【発明を実施するための最良の形態】
【０００８】
以下に本発明の各実施例に係る番組録画再生装置について図１〜図４を用いて説明する。
図１は、本発明の実施に係る番組録画再生装置の構成例を示すブロック図である。
図２は、電子番組表の記載例を示す図である。
図３は、本発明の実施に係る番組予約時の提示画面例を示す図である。
図４は、本発明の実施に係る録画予約の解除に係る動作例をフローチャートで示した図である。
【０００９】
その番組録画再生装置は、連続的に放送される番組の録画予約設定を容易に行えると共に、予約設定された番組の一連の放送が終了した後に設定された録画予約を解除すると共に、一連の番組のために確保されている媒体の記録領域を開放する番組録画再生装置を実現するという目的を、録画予約を行った最初の番組名が前記録画予約を行った以降の現在の前記ＥＰＧに掲載されているかどうかを判別する判別手段と、前記判別手段により前記最初の番組名が前記現在の前記ＥＰＧに掲載されていると判別された場合には、前記最初の番組名を認識し、前記ＥＰＧに基づいた前記最初の番組名と同じ番組の録画予約を行って記録媒体に記録し、前記判別手段により前記最初の番組名が前記現在のＥＰＧに定期的に掲載されていていないと判別された場合には、前記最初の番組名と同じ番組の録画予約を行わない自動録画予約手段と、前記自動録画予約手段により前記最初の番組名と同じ番組の録画予約を行わない場合に、前記最初の番組名と同じ番組の録画予約予定領域を前記記録媒体から削除する録画予約解除手段とを有するするようにして実現した。
【００１０】
番組録画再生装置の構成について述べる。
図１に示す番組録画再生装置１は、放送受信部１１と、ＣＰＵ２２、ＲＡＭ２３、圧縮符号化部２４、ハードディスク制御部２５、復号化部２６、及び映像合成部２７よりなる信号記録部２とハードディスク１３とより構成される。ＣＰＵ２２により、番組名認識処理２２１、判断処理２２２、及び録画制御処理２２３のそれぞれの処理が実行される。ＲＡＭ２３には、録画予約情報２３１及び番組名情報２３２が記憶される。放送受信部１１にはアンテナが接続される。圧縮符号化部２４には外部映像信号及び外部音声信号が入力される。ＣＰＵ２２は外部からの操作情報が入力される。映像合成部２７から出力される映像信号はモニタＴＶ４１に入力される。復号化部２６から出力される音声信号はスピーカ４３に入力される。
【００１１】
番組録画再生装置の動作について述べる。
図１を参照し、番組録画再生装置について概説する。
まず、使用者により操作部が操作され、電子番組表の表示が命令される。放送受信部１１では、例えばＢＳディジタル放送が受信され、ＣＰＵ２２により電子番組表情報が含まれる補助データが取得される。ＣＰＵ２２では取得された電子番組表情報を基に電子番組表表示画面が生成される。電子番組表表示画面は映像合成部２７を介してモニタＴＶ４１に供給され、そこに表示される。
【００１２】
使用者により、毎日又は毎週受信される番組を録画予約するための繰り返し予約操作がなされる。繰り返し予約操作が検出されたＣＰＵ２２により、指定される番組の名称に係る文字情報が取得される。取得された文字情報はＲＡＭ２３の記憶領域である番組名情報２３２に記憶される。次に、ＣＰＵ２２により、電子番組表より翌日の同時刻の近辺で放送される番組名に係る情報が取得される。取得された文字情報と番組名情報２３２に記憶される文字情報とが比較され、共通の文字情報が含まれているかが検出される。共通の文字情報が検出される場合は毎日受信される番組、又はウイークデイに受信される番組であると推定される。共通の文字情報が検出された曜日情報から受信される番組の放送曜日が特定される。
【００１３】
週間の放送予定が記述される電子番組表で、共通の文字情報が検出されない場合は、次週の電子番組表に共通の文字情報を有する番組があるか否かが検出される。共通の文字情報が検出される場合は、検出される共通の文字情報部分がその繰り返し番組を特定するための共通文字情報であるとして決定される。共通文字情報はＲＡＭ２３の番組名情報２３２に記憶される。以降、決定された共通文字情報を含む番組が電子番組表から検出される場合は、検出された番組を録画するための録画予約が設定される。同時に、録画予約される番組の受信間隔が検出される。録画予約に係る設定情報及び受信間隔に係る情報は、ＲＡＭ２３の録画予約情報２３１に記憶される。所定の受信間隔で受信される共通文字情報を含む番組は、ハードディスク１３に確保される例えば１週間分ごとの領域として確保され、録画用領域には例えば週毎に上書き記録される。受信チューナが外部接続される場合には、その映像、音声出力信号は映像入力、音声入力端子を介して入力され、上記と同様に予約されて録画される。
【００１４】
電子番組表に記述される文字情報は、例えば毎日共通文字情報を含む番組の放送予定があるかが検出される。同時に「終」や「了」が含まれる文字情報が含まれるかがＣＰＵ２２の判断処理２２２により検出される。共通文字情報を含む番組の一連の放送が終了したとして判断される場合には、ＲＡＭ２３に記憶された番組予約情報は消去されると共に、ＣＰＵ２２の録画制御処理２２３により確保されているハードディスク１３上の記録領域が開放され、記録されている番組内容も消去される。消去に際し、使用者の許可を得るか否かは設計事項である。
【００１５】
図２、図３を参照して、使用者に提示される表示画面例について説明する。
使用者による番組予約は、モニタＴＶ４１に表示される電子番組表を基に、例えばリモコンの矢印キーや決定キーなどが操作されて目的の番組が選択される。例えば、放送者Ｃの１９：５７から放送される「▽▽▽の出来事」の箇所が決定ボタンにより操作されることにより反転表示される。視聴予約又は録画予約の一方が図示しない選択画面により選択される。
【００１６】
図３は選択された番組に係る表示画面例である。選択された番組は今回のみ録画されるか、又は毎回録画されるかの入力待ちとなる。「今回だけ録画する」が選択された場合は従来と同様に受信される番組の予約が設定され、受信時間が到来したときに受信番組はハードディスク１３に録画される。
「毎回録画する」が選択された場合には、電子番組表に記述される番組名情報を基に繰り返し放送される時間間隔がＣＰＵ２２の判断処理２２２により検出される。検出された時間間隔を基に確保された記録領域に、例えば１週間分の番組が繰り返し録画がなされる。従って、使用者による毎日録画や毎週録画などの入力設定画面は設けられていない。
【００１７】
図４を参照して、定期的に予約されて録画される番組の録画予約設定の解除について述べる。
まず、Ｓ（ステップ）６１において、毎回録画予約すると設定され、繰り返し予約される番組に係る上記の共通文字情報が次回の放送が予定される時間の近辺で放送予定があるかが検出される。共通文字情報が検出された場合にはＳ６２において終了指数が０にリセットされる。Ｓ６１で共通文字情報が検出されない場合はＳ６３で終了指数に１が加算される。ここで終了指数は、番組の定期的な放送が終了されるとして検出するためのパラメータである。
【００１８】
次に、Ｓ６４で電子番組表に記述される文字情報に「終」の文字が含まれているかが検出される。検出される場合にはＳ６５で終了指数に１が加算される。検出されない場合はＳ６６で「了」の文字が含まれているかが検出される。検出された場合にはＳ６７で終了指数に１が加算される。Ｓ６３の後、Ｓ６５の後、Ｓ６６で「了」が検出されない場合、及びＳ６７の後にＳ６８で終了指数は３以上であるか否かが検出される。終了指数が３未満の場合にはＳ６９で繰り返し放送される所定の受信時間間隔待機され、その後Ｓ６１からの動作が繰り返される。終了指数が３以上となった場合にＳ７１でＲＡＭ２３の録画予約情報２３１に記憶される共通文字情報に係る番組の録画予約が削除される。Ｓ７２で、ハードディスク１３に確保されており、所定の受信間隔で上書き記録されるための、録画制御処理２２３により確保されている記録領域が開放される。その領域には新たな毎回録画番組が記録される。
【００１９】
ここで、Ｓ６９における所定の受信時間分待機するための時間は、例えば１週間とする。１週間ごとにＳ６１からのステップを繰り返す場合で、終了指数の判定を３で行う場合には、３週間目に録画予約が削除され、記録内容も消去される。一連の番組が終了してから録画予約を削除したり、記録内容を消去するまでの時間の設定方法は設計事項である。
なお、終了指数でカウントされる文字情報として、終や了の他に完などの終了を意味する文字を用いても良い。また、終了を表す文字の表現方法として、四角で囲まれた「終」を検出した場合に一連の番組が終了したと判断することもできる。四角で囲まれた文字とは、図２に示した電子番組表でステレオ放送は四角で囲まれたＳにより示し、四角で囲まれたＮはニュースを示している。同様に四角で囲まれた「終」は連続的に放送されている番組の終了を示す。その文字の検出により、終了指数に２を加えるなど、ウエイト付けを高くした設定もできる。四角で囲まれた「終」の検出後直ちにその番組に係る録画予約を解除するようにしても構わない。
【００２０】
以上のように、番組録画再生装置１によれば、録画予約を行った最初の番組名が前記録画予約を行った以降の現在の前記ＥＰＧに掲載されているかどうかを判別する判別手段２２２と、前記判別手段により前記最初の番組名が前記現在の前記ＥＰＧに掲載されていると判別された場合には、前記最初の番組名を番組名認識処理手段２２１により認識し、前記ＥＰＧに基づいた前記最初の番組名と同じ番組の録画予約を行って記録媒体１３に記録し、前記判別手段により前記最初の番組名が前記現在のＥＰＧに定期的に掲載されていていないと判断処理手段２２２により判別された場合には、前記最初の番組名と同じ番組の録画予約を行わない自動録画予約手段２２３と、前記自動録画予約手段により前記最初の番組名と同じ番組の録画予約を行わない場合に、前記最初の番組名と同じ番組の録画予約予定領域を前記記録媒体１３から削除する録画予約解除手段２２３とを有する格別な構成があるので、連続的に放送される番組の録画予約設定を容易に行えると共に、予約設定された番組の一連の放送が終了した後に設定された録画予約を解除すると共に、一連の番組のために確保されている媒体の記録領域を開放する番組録画再生装置及び番組録画再生方法を実現できる。
【産業上の利用可能性】
【００２１】
使用者により１回のみまたは繰返し予約が指定され、指定された放送番組を自動的に録画予約設定して録画する録画装置に適用できる。
【図面の簡単な説明】
【００２２】
【図１】本発明の実施に係る番組録画再生装置の構成例を示すブロック図である。
【図２】電子番組表の記載例を示す図である。
【図３】本発明の実施に係る番組予約時の提示画面例を示す図である。
【図４】本発明の実施に係る録画予約の解除に係る動作例をフローチャートで示した図である。
【符号の説明】
【００２３】
１    番組録画再生装置
２    信号記録部
１１    放送受信部
１３    ハードディスク
２２    ＣＰＵ
２３    ＲＡＭ
２４    圧縮符号化部
２５    ハードディスク制御部
２６    復号化部
２７    映像合成部
４１    モニタＴＶ
４３    スピーカ
２２１    番組名認識処理
２２２    判断処理
２２３    録画制御処理
２３１    録画予約情報
２３２    番組名情報
【図１】
2006180057.tif 000003
【図２】
2006180057.tif 000004
【図３】
2006180057.tif 000005
【図４】
2006180057.tif 000006